(57)【要約】      （修正有）【解決手段】結石を挟み込み回収を容易にするため、カテーテルの拡張装置のバルーン及びシリンジ１と、結石を吸い寄せるクダ及びシリンジの装置の一体型のクダを、尿管に挿入し、先端部のクダをシリンジで結石を吸い寄せる装置を作動させ後にバルーンに加圧し結石を受け入れを容易なるよう拡張をする事により、カテーテルも同時に拡開し結石がカテーテルの受け入れの状態を確認後、一体型のクダをカテーテル内に結石を吸い寄せた状態で、引き込みバルーンを減圧し結石を挟み込み回収を容易にする。【効果】結石を粉砕せずカテーテルにてソフトに挟み込み尿管や尿道に傷を付けずに回収することが出来る。【選択図】  図４
2006087911.tif 000002
【特許請求の範囲】
【請求項１】
腎臓から尿道に降りた結石を、カテーテル内に取り入れを容易に成るように、カテーテルの先端部の拡開をバルーンで簡単に拡開を可能にするためカテーテルの先端部を三等分とする切り込みを５ｍｍ≦２０ｍｍ入れる、カテーテルの先端部の拡開用バルーンを備えたクダにエアー加減圧装置シリンジ１と先端部にて結石を吸い寄せるクダをエアー挿入分岐部１０の中を介しバルーンの先端外に吸い込みクダ備えた加減圧装置シリンジ２を有する、一体成型されている事を特徴とする、尿管結石挟み込み回収装置。
【請求項２】
外部よりエアー加減圧装置シリンジ２を用いて結石を吸い寄せる、バルーンに空気圧を加え拡張し、同時にカテーテルの先端部を拡開し、結石を挟み込み出来る大きさに広げ、結石を吸い寄せた状態でカテーテル内に結石を取り入れた後、シリンジ１のエアー減圧し収縮させ結石を挟み込み回収する、請求項１記載の尿管結石挟み込み回収装置。
【発明の詳細な説明】
【技術分野】
【０００１】  本発明は、尿管結石挟み込み回収装置に関する。
【背景技術】
【０００２】従来の尿管結石及び異物回収具方法として特許文献１〜特許文献９の類似９件が存在する、
【特許文献１】特開昭６２−６０５４４  尿結石摘出器具
【特許文献２】特開昭６２−１９２１４８  結石用鉗子装置
【特許文献３】特開  ２００１−３１４４０９  異物回収具
【特許文献４】実開昭６０−４５００９  内視鏡用バスケット鉗子
【特許文献５】実開昭６２−８４４０７  把持鉗子
【特許文献６】実開平０１−１０７３１１  内視鏡用鉗子腔
【特許文献７】実開平０２−６０１２  内視鏡用異物回収具
【特許文献８】実開平０２−１４９２１１  体腔内異物回収具
【独国特許９】
出願公開第１５６６１４７号明細書
【０００３】    尿管結石回収装置の背景技術として、バルーン拡張装置を備えた特許文献７実開平０２−６０１２内視鏡用異物回収具があり、カテーテルの外側を拡張する装置となっている、本発明は、カテーテルの内側を拡開する装置であり、カテーテルを拡開することにより結石を挟み込み回収を容易にする、特許文献１から特許文献８の案件との大きな違いである、独国特許出願公開第１５６６１４７号明細書とはバルーンとシリンジの使用が似ているようですが、上記の記載にもあるように、本発明はバルーンにてカテーテルの内側を拡開する装置である、独国特許出願公開第１５６６１４７号明細書はカテーテルの外側を拡張する装置となっている、本発明のシリンジ２は結石を吸い寄せる装置であり、独国特許出願公開第１５６６１４７号明細書とは大きな違いである。特許文献９の案件のなかにカテーテルの内側を拡張する装置と結石を吸い寄せる装置一体型の案件が見当たらない。
【０００４】  この改善策として、尿管結石挟み込み回収装置を使用する事により結石を粉砕せずカテーテルにてソフトに挟み込み尿管や尿道に傷を付けずに回収することが出来る。
【発明の開示】
【発明が解決しようとする課題】
【０００５】  解決しようとする問題点は、結石が尿管にある間痛み止めの注射や座薬等の薬を使用し血尿と激痛に耐えなければならない、解決するためには尿管結石を簡単な装置で取り除き早期に治療ができ激痛から開放されることと高額医療費の軽減にあった。
【課題を解決するための手段】
【０００６】  本発明は、結石を挟み込み回収を容易にするため、カテーテルの拡張装置のバルーン及びシリンジ１と、結石を吸い寄せるクダ及びシリンジ２の装置の一体型のクダを、尿管に挿入し、先端部のクダをシリンジ２で結石を吸い寄せる装置を作動させ後にバルーンに加圧し結石を受け入れを容易なるよう拡張をする事により、カテーテルも同時に拡開し結石がカテーテルの受け入れの状態を確認後、一体型のクダをカテーテル内に結石を吸い寄せた状態で、引き込みバルーンを減圧し結石を挟み込み回収を容易にする発明である。
【発明の効果】
【０００７】  本発明の挟み込み回収装置を使用する事により、カテーテルに結石が保護され、尿管や尿道に傷を付けない用に取り出され、激痛から解放され１〜２時間後に普通の健康体に回復、また診療時間も大幅に短縮され又高額医療費の削減につながる。
【本発明を実施するための最良の形態】
【０００８】  尿管結石挟み込み回収装置はカテーテル及び拡張装置のクダシリンジ１は外部より先端部のバルーンに空気圧を加え同時にカテーテルも拡開する、シリンジ２のクダは分岐部１２の中を介しバルーンの先端より結石を吸い寄せる装置の一体成型クダである、
【実施例１】
【０００９】図１は、請求項１の説明図であり、カテーテルと拡張装置のクダとシリンジ１、結石を吸い寄せるシリンジ２装置の断面図である
【実施例２】
【００１０】図２は、本発明装置の尿管結石挟み込み回収装置をＸ線画面で観察しながら尿管に挿入した形態の断面図である。
【実施例３】
【００１１】図３は、拡張装置を結石の手前まで挿入し結石を吸い寄せの断面図である。
【実施例４】
【００１２】図４は、結石の大きさに合わせて加圧拡開したカテーテルの中に、結石を取り入れた状態の断面図である。
【実施例５】
【００１３】図５は、エアー挿入クダとバルーンの一体型をカテーテルの内部に結石を吸い寄せながら引き込み同時に外部より拡張装置シリンジ１でバルーンの空気圧を減圧同時にカテーテルを収縮し閉じる事により、結石を挟み込み回収する断面図である。
【実施例６】
【００１４】図６は、結石をカテーテル内に取り込みを容易にするためカテーテルの先端部を３等分にした断面図である。
【図面の簡単な説明】
【００１５】
【図１】  請求項１の説明図の断面図である
【図２】  尿管結石挟み込み回収装置挿入時の断面図である。
【図３】  挿入時の拡張装置吸い寄せの、拡張前の断面図である。
【図４】  加圧拡開させ尿管結石を取り入れた断面図である。
【図５】  減圧し結石を挟み込み回収するカテーテルの断面図である。
【図６】  カテーテルの先端部を３等分にした断面図である。
【符号の説明】
【００１６】  １  尿道    ２  結石    ３  カテーテル    ４  バルーンのエアー挿入クダ
５  バルーン    ６  バルーン用シリンジ１    ７  吸い寄せクダ
８  吸い寄せ口    ９  吸い寄せ用シリンジ２    １０  分岐部    １１  ３等分
１２  ３等分の切り込み
【図１】
2006087911.tif 000003
【図２】
2006087911.tif 000004
【図３】
2006087911.tif 000005
【図４】
2006087911.tif 000006
【図５】
2006087911.tif 000007
【図６】
2006087911.tif 000008